(57)【要約】      （修正有）【課題】メガネを掛ける人の鼻梁の高さや、メガネの前後部の重さがアンバランスであるために、掛けたときにメガネの前部が下がってしまう、という不具合を改善したメガネおよびサングラスを提供すること。【解決手段】レンズ３を嵌めたフレーム２あるいはレンズ３をブリッジ４で結び、内側に鼻パット５を設け、外側にＬ形金具６及び蝶番７を介したつる９を設けたメガネ１において、つる９の後部に調節を可能とする重り１１を設けた。【選択図】図３
2007047794.tif 000002
【特許請求の範囲】
【請求項１】
レンズを嵌めたフレームあるいはレンズをブリッジで結び、内側に鼻パットを設け、外側にＬ形金具及び蝶番を介してつるを設けたメガネにおいて、つるの後部に増減出来る重りを設けたことを特徴とするメガネ及びサングラス。
【請求項２】
重りを繋いだり、収納庫に入れたりして重さを増減出来るようにした請求項１のメガネ及びサングラス。
【発明の詳細な説明】
【技術分野】
【０００１】本発明は前部が下がりずらいメガネに関するものである。
【背景技術】
【０００２】従来、メガネのつるの後部に滑り止めとしてゴム等を取り付けた。
【発明の開示】
【発明が解決しようとする課題】
【０００３】そのために、次のような問題点があった。
（イ）ほとんどのメガネが重いガラスレンズから軽いプラスチックレンズに変わったのに前部が下がってしまう。
（ロ）東洋人は西洋人のような高い鼻梁を持たないので鼻パットを鼻梁に当てようとするだけで、前部が下がってしまうことが多い。
（ハ）そのためには、前部の重さに対応してつるの終わりに調節可能な重りを設けることである。
【課題を解決するための手段】
【０００４】  レンズを嵌めたフレームあるいはレンズをブリッジで結び、内側に鼻パットを設け、外側にＬ形金具及び蝶番を介してつるを設けたメガネにおいて、つるの後部に増減出来る重りを設ける。
【発明の効果】
【０００５】  試着中に前部のアンバランスを解消するために、つるの後部に重りを付け足したり、減らしたりしてバランスの平均化を図り、メガネの安定した掛け心地を提供する。
【発明を実施するための最良の形態】
【０００６】  本発明の実施の形態について図１から図３を用いて説明するが図面はもっぱら解説のためのもので、本発明の技術的範囲を限定するものではない。叉サングラスはメガネと同じ構成なので図面及び解説は省略する。
（イ）フレーム２・２をブリッジ４で結び、フレーム２・２にレンズ３・３を嵌め、内側に鼻パット５・５を設け、外側にＬ形金具６・６を設けて末端にメス蝶番７ａ・７ａを設ける。
（ロ）ほぼ水平のつる９・９の内側先端にオス蝶番７ｂ・７ｂを設け、中程から後部を合成樹脂等で被覆し、後部の内側中央に凸状帯１０・１０を設ける。
（ハ）Ｃ形に角ばって曲げたＣ形状の重り１１・１１をつる９・９の末端より複数個嵌め込んで取り付ける。そしてメス蝶番７ａ・７ａにオス蝶番７ｂ・７ｂを合わせて、ネジ８・８で止める。  メガネ１は以上のような構成である。
使用法は従来のメガネと同じである。メーカーが競って軽量化に向かう中、なぜ今時メガネに重りを付けて重くするのか不思議に思われるかもしれませんが、今メガネを使用している人の半数位の方のメガネの前部が下がっている。これはメガネを作る技術が悪いのでは無い、メガネを水平に安定して掛けるには鼻パット５・５が鼻梁に、又つる９・９が耳の股に乗って初めて保たれる。しかし残念ながら東洋人の私達には西洋人のような高い鼻梁を持たない人が多い、そのため大半の人のメガネが下がっている。この事を是正するにはつる９・９の後部に重りを設けて、バランスを取る方法しかないが、ただ一律の重りを設けても駄目である。目から耳迄の長さが個々によって異なるし、レンズ３・３の厚みも目の良し悪しで異なるので、当然重さも違って来る。決定したレンズ３・３を嵌めて試着し、少しずつ重りを積み重ねて最良の重さを見つける必要がある。その為には後から重さを増減出来る、Ｃ形状の重り１１・１１は便利である。
【実施例】
【０００７】  次に図４から図１３に示す本発明の異なる実施の形態について説明する。尚、これらの異なる実施の形態の説明に当たって前記本発明の第１の実施の形態と同じ構成部分には同一符合を付して重複の説明を省略する。又図面は解説の為のもので技術的範囲を限定するものではない。又同じ構成部品が続く場合は原則として１ケの符号のみを記すものとする。叉サングラスはメガネと同じ構成なので図面及び解説は省略する。
【実施例１】
【０００８】  図４と図５に示す本発明の第２の実施の形態において、前記本発明の第１の実施の形態と主に異なる点は、つる９・９の末端に通し孔１２・１２をあけ、鎖のように繋いだ環状形の重り１３・１３を複数個取り付け、状況に応じて増減させる点で、このように形成されたつる９Ａ・９Ａを用いて構成されたメガネ１Ａ及びサングラス１Ａにしても、前記本発明の第１の実施の形態と同じ作用効果が得られる。
尚、左右の環状形の重り１３・１３の末端どうしをフックで繋いでも良いし、それぞれの末端にメガネコードを取り付けても良い。
【実施例２】
【０００９】  図６と図７に示す本発明の第３の実施の形態において、前記本発明の第１の実施の形態と主に異なる点は、つる９・９の末端に鍵穴状の通し孔１４・１４をあけ、更にブロック状の重り１５・１５・１５ａ・１５ａ・の両端にも鍵穴状の孔１４ａ・１４ａ・１４ｂ・１４ｂ・１４ｃ・１４ｃ・１４ｄ・１４ｄをあける。そして隣り合った鍵穴状の通し孔１４・１４・１４ａ・１４ａに両端の円柱を平板で結んだ鎹状の繋ぎ金具１６・１６・１６・１６を差し込んで繋ぎ、次々と繋ぎ止めた点で、このように形成されたつる９Ｂ・９Ｂを用いて構成されたメガネ１Ｂ及びサングラス１Ｂにしても、前記本発明の第１の実施の形態と同じ作用効果が得られる。
【実施例３】
【００１０】  図１８と図１９に示す本発明の第４の実施の形態において、前記本発明の第１の実施の形態と主に異なる点は、つる９・９の末端に円形で内側の中心より外周に向けて複数の壁を設け、複数の小部屋１８・１８を設ける。そしてみかんを輪切りにしたような仕切付き丸形収納庫１７・１７を設けて、扇形の重り１９・１９を複数個入れた点で、このように形成されたつる９Ｃ・９Ｃを用いて構成されたメガネ１Ｃ及びサングラス１Ｃにしても、前記本発明の第１の実施の形態と同じ作用効果が得られる。
【実施例４】
【００１１】  図１０と図１１に示す本発明の第５実施の形態において、前記本発明の第１の実施の形態と主に異なる点は、つる９・９の末端に長形のコの字形芯金２４・２４を設け、外周を合成樹脂等で被覆成型して空洞形の長形収納庫２１・２１を設け、長形の重り２２・２２を複数個詰め込んで、キャップ２３・２３を嵌めた点で、このように形成されたつる９Ｄ・９Ｄを用いて構成されたメガネ１Ｄ及びサングラス１Ｄにしても、前記本発明の第１の実施の形態と同じ作用効果が得られる。
尚、（Ｃ）の粉末状の重り２５・２５を用いても良い。
【実施例５】
【００１２】  図１２と図１３に示す本発明の第６の実施の形態において、前記本発明の第１の実施の形態と主に異なる点は、つる９・９の後部に合成樹脂等で開口部を下面に設け、円柱形のポケット２７・２７を複数並べたポケット状の収納庫２６・２６を設け、複数の円柱形の重り２８・２８を嵌め込んだ点でこのようの形成されたつる９Ｅ・９Ｅを用いて構成されたメガネ１Ｅ及びサングラス１Ｅにしても、前記本発明の第１の実施の形態と同じ作用効果が得られる。
【図面の簡単な説明】
【００１３】
【図１】本発明の第１の実施の形態の使用状況の側面図。
【図２】本発明の第１の実施の形態の重りの分解斜視図。
【図３】本発明の第１の実施の形態の斜視図。
【図４】本発明の第２の実施の形態の重りの分解斜視図。
【図５】本発明の第２の実施の形態の斜視図。
【図６】本発明の第３の実施の形態の重りの分解斜視図、（ａ）重りと重りの繋ぎ方の説明図。
【図７】本発明の第３の実施の形態の斜視図。
【図８】本発明の第４の実施の形態の重りの分解斜視図。
【図９】本発明の第４の実施の形態の斜視図。
【図１０】本発明の第５の実施の形態の重りの分解斜視図、（ｂ）芯金の説明図、（ｃ）他の重りの斜視図。
【図１１】本発明の第５の実施の形態の斜視図。
【図１２】本発明の第６の実施の形態の重りの分解斜視図。
【図１３】本発明の第６の実施の形態の斜視図。
【符号の説明】
【００１４】１，１Ａ、１Ｂ、１Ｃ、１Ｄ、１Ｅ：メガネ          ２：フレーム
３：レンズ                                        ４：ブリッジ
５：鼻パット                                      ６：Ｌ形金具
７：蝶番、７ａ：メス蝶番、７ｂ：オス蝶番          ８：ネジ
９、９Ａ、９Ｂ、９Ｃ、９Ｄ、９Ｅ：つる          １０：凸状帯
１１：Ｃ形状の重り                      １２，１２ａ：通し孔
１３：環状形の重り                              １４：鍵穴状の通し孔
１５：ブロック状の重り                          １６：繋ぎ金具
１７：仕切付き丸収納庫                          １８：小部屋
１９：扇形重り                                  ２０：蓋
２１：長形の収納庫                              ２２：長形の重り
２３：キャップ                                  ２４：コの字形収納庫
２５：粉末状の重り                              ２６：ポッケト状の収納庫
２７：ポッケト                                  ２８：円柱状の重り
【図１】
2007047794.tif 000003
【図２】
2007047794.tif 000004
【図３】
2007047794.tif 000005
【図４】
2007047794.tif 000006
【図５】
2007047794.tif 000007
【図６】
2007047794.tif 000008
【図７】
2007047794.tif 000009
【図８】
2007047794.tif 000010
【図９】
2007047794.tif 000011
【図１０】
2007047794.tif 000012
【図１１】
2007047794.tif 000013
【図１２】
2007047794.tif 000014
【図１３】
2007047794.tif 000015